(57)【特許請求の範囲】
【請求項１】
原稿を画像データとして読み取る画像読み取り手段と、
該画像読み取り手段によって読み取られた前記画像データを記憶する記憶手段と、
予め基準となる画像領域を指定する画像領域指定手段と、
前記記憶手段によって記憶された前記画像データの余白部分を除いた有効画像領域を検出する有効画像領域検出手段と、
前記有効画像領域検出手段によって検出された前記有効画像領域を前記画像領域分に変倍する変倍手段と、
該変倍手段によって変倍された前記画像データを前記画像領域に貼り付ける貼り付け手段と、
該貼り付け手段によって貼り付けられた前記画像データを送信する送信手段とを有し、
前記変倍手段は、
前記画像領域の幅及び長さと前記有効画像領域の幅及び長さとを検出し、
前記有効画像領域の幅に対する前記画像領域の幅の比である第１の比率及び前記有効画像領域の長さに対する前記画像領域の長さの比である第２の比率を算出し、
前記第１の比率及び前記第２の比率が１よりも小さく、かつ前記第１の比率が前記第２の比率よりも小さいとき、前記有効画像領域を前記第２の比率によって変倍し、
前記第１の比率及び前記第２の比率が１よりも小さく、かつ前記第１の比率が前記第２の比率以上のとき、前記有効画像領域を前記第１の比率によって変倍し、
前記第１の比率が１以上で、かつ前記第２の比率が１よりも小さいとき、前記有効画像領域を第２の比率によって変倍し、
前記第１の比率が１よりも小さく、かつ前記第２の比率が１以上のとき、前記有効画像領域を第１の比率によって変倍し、
前記第１の比率及び前記第２の比率が１以上で、かつ前記第１の比率が前記第２の比率以下のとき、前記有効画像領域を前記第１の比率によって変倍し、
前記第１の比率及び前記第２の比率が１以上で、かつ前記第１の比率が前記第２の比率よりも大きいとき、前記有効画像領域を前記第２の比率によって変倍することを特徴とするファクシミリ装置。
【請求項２】
送信されてくる画像データを受信する受信手段と、
該受信手段によって受信された前記画像データを記憶する記憶手段と、
予め基準となる画像領域を指定する画像領域指定手段と、
前記記憶手段によって記憶された前記画像データの余白部分を除いた有効画像領域を検出する有効画像領域検出手段と、
前記有効画像領域検出手段によって検出された前記有効画像領域を前記画像領域分に変倍する変倍手段と、
該変倍手段によって変倍された前記画像データを前記画像領域に貼り付ける貼り付け手段と、
該貼り付け手段によって貼り付けられた前記画像データを出力する出力手段とを有し、
前記変倍手段は、
前記画像領域の幅及び長さと前記有効画像領域の幅及び長さとを検出し、
前記有効画像領域の幅に対する前記画像領域の幅の比である第１の比率及び前記有効画像領域の長さに対する前記画像領域の長さの比である第２の比率を算出し、
前記第１の比率及び前記第２の比率が１よりも小さく、かつ前記第１の比率が前記第２の比率よりも小さいとき、前記有効画像領域を前記第２の比率によって変倍し、
前記第１の比率及び前記第２の比率が１よりも小さく、かつ前記第１の比率が前記第２の比率以上のとき、前記画有効像領域を前記第１の比率によって変倍し、
前記第１の比率が１以上で、かつ前記第２の比率が１よりも小さいとき、前記有効画像領域を第２の比率によって変倍し、
前記第１の比率が１よりも小さく、かつ前記第２の比率が１以上のとき、前記有効画像領域を第１の比率によって変倍し、
前記第１の比率及び前記第２の比率が１以上で、かつ前記第１の比率が前記第２の比率以下のとき、前記有効画像領域を前記第１の比率によって変倍し、
前記第１の比率及び前記第２の比率が１以上で、かつ前記第１の比率が前記第２の比率よりも大きいとき、前記有効画像領域を前記第２の比率によって変倍することを特徴とするファクシミリ装置。
【発明の詳細な説明】
【０００１】
【発明の属する技術分野】
本発明は、送受信の際の画像の余白部分を縮小するデジタル複写機及びファクシミリ装置に関する。
【０００２】
【従来の技術】
従来のファクシミリ装置は、原稿の読み取り位置や書き込み位置をずらすことにより送信画像および受信画像の余白部分を縮小したり、原稿の左右上下に余白部分を作成するといったファクシミリ装置が特開平６−２３７３６３号公報に開示されている。
【０００３】
【発明が解決しようとする課題】
しかしながら、上記従来例に示されるファクシミリ装置においては、読み取り位置、または書き込み位置をずらすことにより余白部分を縮小していたため、読み取り位置または書き込み位置のずらし加減によっては画像が欠落したりする。また、余白部分を縮小することにより元の原稿の余白部分まで縮小してしまうため、大きな余白になってしまうという場合があり、出力された画像が見づらいという問題があった。
【０００４】
本発明は、画像データの欠落や無駄な余白部分を防止するファクシミリ装置を提供することを目的とする。
【０００５】
【課題を解決するための手段】
前記課題を解決するために、請求項１記載のファクシミリ装置は、原稿を画像データとして読み取る画像読み取り手段と、該画像読み取り手段によって読み取られた前記画像データを記憶する記憶手段と、予め基準となる画像領域を指定する画像領域指定手段と、前記記憶手段によって記憶された前記画像データの余白部分を除いた有効画像領域を検出する有効画像領域検出手段と、前記有効画像領域検出手段によって検出された前記有効画像領域を前記画像領域分に変倍する変倍手段と、該変倍手段によって変倍された前記画像データを前記画像領域に貼り付ける貼り付け手段と、該貼り付け手段によって貼り付けられた前記画像データを送信する送信手段とを有し、前記変倍手段は、前記画像領域の幅及び長さと前記有効画像領域の幅及び長さとを検出し、前記有効画像領域の幅に対する前記画像領域の幅の比である第１の比率及び前記有効画像領域の長さに対する前記画像領域の長さの比である第２の比率を算出し、前記第１の比率及び前記第２の比率が１よりも小さく、かつ前記第１の比率が前記第２の比率よりも小さいとき、前記有効画像領域を前記第２の比率によって変倍し、前記第１の比率及び前記第２の比率が１よりも小さく、かつ前記第１の比率が前記第２の比率以上のとき、前記有効画像領域を前記第１の比率によって変倍し、前記第１の比率が１以上で、かつ前記第２の比率が１よりも小さいとき、前記有効画像領域を第２の比率によって変倍し、前記第１の比率が１よりも小さく、かつ前記第２の比率が１以上のとき、前記有効画像領域を第１の比率によって変倍し、前記第１の比率及び前記第２の比率が１以上で、かつ前記第１の比率が前記第２の比率以下のとき、前記有効画像領域を前記第１の比率によって変倍し、前記第１の比率及び前記第２の比率が１以上で、かつ前記第１の比率が前記第２の比率よりも大きいとき、前記有効画像領域を前記第２の比率によって変倍することを特徴とする。
【０００６】
また、請求項２記載のファクシミリ装置は、送信されてくる画像データを受信する受信手段と、該受信手段によって受信された前記画像データを記憶する記憶手段と、予め基準となる画像領域を指定する画像領域指定手段と、前記記憶手段によって記憶された前記画像データの余白部分を除いた有効画像領域を検出する有効画像領域検出手段と、前記有効画像領域検出手段によって検出された前記有効画像領域を前記画像領域分に変倍する変倍手段と、該変倍手段によって変倍された前記画像データを前記画像領域に貼り付ける貼り付け手段と、該貼り付け手段によって貼り付けられた前記画像データを出力する出力手段とを有し、前記変倍手段は、前記有効画像領域の幅及び長さと前記画像領域の幅及び長さとを検出し、前記有効画像領域の幅に対する前記画像領域の幅の比である第１の比率及び前記有効画像領域の長さに対する前記画像領域の長さの比である第２の比率を算出し、前記第１の比率及び前記第２の比率が１よりも小さく、かつ前記第１の比率が前記第２の比率よりも小さいとき、前記有効画像領域を前記第２の比率によって変倍し、前記第１の比率及び前記第２の比率が１よりも小さく、かつ前記第１の比率が前記第２の比率以上のとき、前記画有効像領域を前記第１の比率によって変倍し、前記第１の比率が１以上で、かつ前記第２の比率が１よりも小さいとき、前記有効画像領域を第２の比率によって変倍し、前記第１の比率が１よりも小さく、かつ前記第２の比率が１以上のとき、前記有効画像領域を第１の比率によって変倍し、前記第１の比率及び前記第２の比率が１以上で、かつ前記第１の比率が前記第２の比率以下のとき、前記有効画像領域を前記第１の比率によって変倍し、前記第１の比率及び前記第２の比率が１以上で、かつ前記第１の比率が前記第２の比率よりも大きいとき、前記有効画像領域を前記第２の比率によって変倍することを特徴とする。
【０００７】
【発明の実施の形態】
次に、本発明の一実施形態であるファクシミリ装置について添付図面を参照して詳細に説明する。図１は、本発明のファクシミリ装置の一実施形態を示すブロック構成図である。
【０００８】
図１に示される本発明の一実施形態であるファクシミリ装置は、ＣＰＵ１と、表示部２及び各種入力キー３を含む操作部４と、画像読み取り部５と、画像領域検出部６と、画像変倍制御部７と、画像符号／復号制御部８と、ＲＯＭ９と、ＳＲＡＭ１０と、ＤＲＡＭ１１と、画像出力部１２と、ページメモリ１３と、符号メモリ１４と、モデム１５とから構成されている。
【０００９】
ＣＰＵ１は、ファクシミリ装置全体の制御を司る。操作部４は、ユーザにより操作入力する各種入力キー３と、入力された操作要求及び操作状況を表示する表示部２とを備える。画像読み取り部５は、送信原稿の読み取りを行う。画像領域検出部６は、画像読み取り部５で読み取られた画像データの有効画像領域を検出する。画像変倍制御部７は、画像領域検出部６で検出された有効画像領域で読み取られた画像データを変倍処理する。画像符号／復号制御部８は、送信または受信された画像データの符号化および復号化処理する。ＲＯＭ９、ＳＲＡＭ１０、ＤＲＡＭ１１は、本ファクシミリ装置のシステムプログラムを記憶する記憶装置である。画像出力部１２は、受信された画像データを所定の処理を施した後に出力する。ページメモリ１３は、送受信された画像データを記憶する。符号メモリ１４は、画像符号／復号制御部８で符号化及び復号化される際のコード体系が記憶されている。モデム１６は、画像データの送受信の際にデジタル信号をアナログ信号へ、またはアナログ信号からデジタル信号へと変復調を行う。
【００１０】
本発明の第１の実施形態を図２及び図４に基づいて詳細に説明する。図２は、本実施形態におけるファクシミリ装置の送信時の画像データの流れを示すものである。また、図４は、読み取り処理、抽出処理及び変倍処理の一例が示されている。
【００１１】
図２に示されるように、画像読み取り部５で読み取られた画像データは、ページメモリ１３に蓄積される。画像領域検出部６でユーザにより指定された有効画像領域に基づいて、指定されている画像領域の範囲で画像データを抽出する。この時の原稿の読み取り例が図４の左上に示されている。さらに、主走査方向の有効画素数Ｗ０と副走査方向の有効ライン数Ｌ０を検出する。抽出された画像データの一例が図４の右中段に示されている。
【００１２】
次に、画像変倍制御部７において、展開予定の画像領域における主走査画素数Ｗ１、及び副走査ライン数Ｌ１に対してのそれぞれの変倍率を求め、原稿の余白部分を除いた有効画像領域を予め余白部分を設けてある画像領域に下記の変倍率に応じて変倍処理しながら画像を展開する。ユーザにより指定された画像領域に合うように変倍処理された一例が図４の左下に示されている。
【００１３】
変倍率については、以下に示す通りである。
0003692242.tif 000002
【００１４】
画像変倍制御部７によって変倍処理された画像データは、再びページメモリ１３に記憶され、画像符号／復号制御部８により符号化処理が施されて、符号メモリ１４で前述された符号化処理に用いられたコード体系を取得し、送信するが画像データと共に、モデム１５へ転送される。モデム１５では、転送された画像データとコード体系の情報を変調処理した後、接続される回線へ送信される。
【００１５】
また、画像変倍制御部７によって変倍処理された画像データは、ページメモリ１３に記憶され、そのまま画像出力部１２へデータを送信することで変倍処理された画像データを送信前に確認し、画像が欠落していないことを確認することができる。
【００１６】
この処理によって、例えばファイリングするためのパンチ穴等に利用する余白部分を作成する場合に、画像の欠落を無くす事ができ、また、縮小して余白を作成する場合でも、原稿に元からある余白を含めて縮小等するのではなく、有効画像部分のみを抽出し、その有効画像にあらためて余白を再構成することで、画像を見やすくすることが可能である。
【００１７】
本発明の第２の実施形態を図３のブロック図に基づいて説明する。
図３は、本実施形態におけるファクシミリ装置の受信時の画像データの流れを示すブロック図である。
【００１８】
本発明の第２の実施形態は、図２に示される第１の実施形態に示される画像データの流れが逆になったものである。図３に示されるように、回線を介して送信された画像データは、モデム１５において復調処理が施され、符号メモリ１４で使用されるコード体系を確認する。画像符号／復号制御部８において、前述のコード体系を用いて復号化処理が施され、ページメモリ１３に復号化処理された画像データが記憶される。ページメモリ１３に記憶された画像データは、画像領域検出部６において、ユーザにより指定された有効画像領域の範囲で画像領域を検出し、検出された画像データを画像変倍制御部７で指定された画像領域で変倍処理する。変倍処理された画像データは、再びページメモリ１３に記憶され、画像出力部１２に転送され、出力される。
【００１９】
尚、第２の実施形態における変倍処理は、第１の実施形態に示される変倍率に基づいて行われるものである。
【００２０】
本発明の第２の実施形態によると、受信時においても第１の実施形態と同様の処理がなされることにより、例えばファイリングするためのパンチ穴等に利用する余白部分を作成する場合に、画像の欠落を無くす事ができ、また、縮小して余白を作成する場合でも、原稿に元からある余白を含めて縮小等するのではなく、有効画像部分のみを抽出し、その有効画像にあらためて余白を再構成することで、画像を見やすくすることが可能である。
【００２１】
【発明の効果】
以上の説明より明らかなように、請求項１記載の発明によれば、送信時に読み取った原稿について、有効画像領域を検出し、予めユーザにより指定されている画像領域に変倍しながら展開することで、画像の欠落がなく、ファイリングしやすい画像として送信または画像出力することができる。
【００２２】
請求項２記載の発明によれば、受信時に受信された原稿について、有効画像領域を検出し、予めユーザにより指定されている画像領域に変倍しながら展開することで、画像の欠落がなく、ファイリングしやすい画像を出力することができる。
【図面の簡単な説明】
【図１】本発明の一実施形態であるファクシミリ装置のブロック構成図である。
【図２】本発明の第１の実施形態における画像データの流れを示すブロック図である。
【図３】本発明の第２の実施形態における画像データの流れを示すブロック図である。
【図４】本発明の実施形態における読み取り処理、抽出処理、変倍処理の一例を示す図である。
【符号の説明】
１  ＣＰＵ
２  表示部
３  各種入力キー
４  操作部
５  画像読み取り部
６  画像領域検出部
７  画像変倍制御部
８  画像符号／復号制御部
９  ＲＯＭ
１０  ＳＲＡＭ
１１  ＤＲＡＭ
１２  画像出力部
１３  ページメモリ
１４  符号メモリ
１５  モデム
【図１】
0003692242.tif 000003
【図２】
0003692242.tif 000004
【図３】
0003692242.tif 000005
【図４】
0003692242.tif 000006